(57)【要約】      （修正有）【課題】使用時間帯を予約登録できる画像形成装置における占有設定と複数ユーザーの操作性の両立を可能とする画像形成装置を提供する。【解決手段】使用時間帯を予約登録できる画像形成装置であって、複数のユーザーが同じ時間帯に使用予約を入れてもその予約を受け付ける一方、同じ時間帯の使用予約を受け入れることに伴って生じる注意事項（予約時間帯にジョブを終了させられないといった注意事項）について予めユーザーに通報し、これらにより画像形成装置の占有設定と複数ユーザーの操作性の両立を可能とする画像形成装置。【選択図】図５
2011087201.tif 000002
【特許請求の範囲】
【請求項１】
使用時間帯を予約登録できる画像形成装置であり、
ユーザーが使用予約を入力するための予約入力手段と、
前記予約入力手段により使用予約入力があると、その使用予約時間帯が先に予約入力された使用予約時間帯と重なる時間帯を含んでいるときであっても該使用予約を受け付けるとともに、より先に予約を受け付けた使用予約を優先させて優先順位を付して予約登録する予約受付手段と、
使用予約した各ユーザーのジョブ実行に必要な時間を求め、該ジョブ実行必要時間に基づいてジョブ完了のためのジョブ投入限界時間をユーザーに対して通報する通報手段とを含むことを特徴とする画像形成装置。
【請求項２】
前記予約入力手段によるユーザーによる使用予約時の入力項目には使用予約に係るジョブの実行時間算出のための情報が含まれており、該予約入力手段は該ジョブ実行時間算出のための情報の入力手段を含んでいる請求項１記載の画像形成装置。
【請求項３】
前記ジョブ実行時間算出のための情報の入力手段による入力項目にはジョブ実行モード情報が含まれている請求項２記載の画像形成装置。
【請求項４】
前記ジョブ実行時間算出のための情報の入力手段による入力項目には予め画像形成装置内に登録されている情報が含まれている請求項２又は３記載の画像形成装置。
【請求項５】
前記ジョブ実行時間算出のための情報の入力手段による入力項目にはユーザー自身の見積もりジョブ実行時間が含まれている請求項２、３又は４記載の画像形成装置。
【請求項６】
予約時間帯より前にジョブが投入されている場合、各ユーザーの予約時間帯内にジョブが完了できるように前記予約優先順位を変更できる手段を含んでいる請求項１から５のいずれかに記載の画像形成装置。
【発明の詳細な説明】
【技術分野】
【０００１】
本発明は使用時間帯を予約登録できる画像形成装置に関する。
【背景技術】
【０００２】
近年の画像形成装置は、複写機の機能（コピー機能）、ファクシミリ機の機能、原稿画像読み取り機能（スキャン機能）、プリンタの機能（プリント機能）等の機能のうち複数の機能を備えているものが多く、そのような多機能画像形成装置はその多機能ゆえに多人数により使用され、実際に使用したい時間に別の人が占有していることが多々ある。このため緊急的に使用したい場合などに使用できないことがある。
【０００３】
そこで、画像形成装置の中には使用時間帯を予約登録できるものがある。
しかしこのような画像形成装置の場合、通常、使用時間帯予約では同一時間帯には一人しか使用予約できない。しかも、一般的には実際に必要な稼働時間よりも長い期間で使用時間予約されることが多い。これらのため、実際には画像形成装置又はその機能（コピー、ファクシミリ、スキャン、プリント等の機能）のうち稼動していないものがあっても、他のユーザーは所望の操作を行うことができない。
【０００４】
これに対して使用時間帯に関してさらに進化させた画像形成装置も提案されている。
例えば、特開２００８−１２３０９４号公報には、機器が特定の時間に占有予約された状況でも、占有の予約がされたものの実際には使用されていない機器の占有状態を解除することができる予約管理システムが記載されている。
【０００５】
特開２００４−３２０５４号公報には、予約されたスキャン・プリントジョブを操作画面上で簡単に変更・削除・確認できるようにする一方、スキャナ・プリンタを別々に使用するジョブではそれぞれを予約することができるようにすることが記載されている。
【先行技術文献】
【特許文献】
【０００６】
【特許文献１】特開２００８−１２３０９４号公報
【特許文献２】特開２００４−３２０５４号公報
【発明の概要】
【発明が解決しようとする課題】
【０００７】
しかしながら、特開２００８−１２３０９４号公報や特開２００４−３２０５４号公報に記載されているように、画像形成装置又はその所望の機能が稼動していない場合に占有予約を解除したり、変更してしまった場合、本来の予約者がいざ使用したいときには別のユーザーに占有されている場合があり、占有予約の利益がなくなってしまう。
【０００８】
そこで本発明は、使用時間帯を予約登録できる画像形成装置であって、複数のユーザーが同じ時間帯に使用予約を入れてもその予約を受け付ける一方、同じ時間帯の使用予約を受け入れることに伴って生じる注意事項について予めユーザーに通報し、これらにより画像形成装置の占有設定と複数ユーザーの操作性の両立を可能とする画像形成装置を提供することを課題とする。
【課題を解決するための手段】
【０００９】
前記課題を解決するため本発明は、
使用時間帯を予約登録できる画像形成装置であり、
ユーザーが使用予約を入力するための予約入力手段と、
前記予約入力手段により使用予約入力があると、その使用予約時間帯が先に予約入力された使用予約時間帯と重なる時間帯を含んでいるときであっても該使用予約を受け付けるとともに、より先に予約を受け付けた使用予約を優先させて優先順位を付して予約登録する予約受付手段と、
使用予約した各ユーザーのジョブ実行に必要な時間を求め、該ジョブ実行必要時間に基づいてジョブ完了のためのジョブ投入限界時間をユーザーに対して通報をする通報手段とを含む画像形成装置を提供する。
【００１０】
ここで「ｊｏｂ投入限界時間の通報」とは、例えば、「今ｊｏｂを投入しなければ優先度の高い人のｊｏｂでマシンが占有された場合には、あなたのｊｏｂは予約時間帯に完了できない」旨のごとき通報である。
【００１１】
本発明に係る画像形成装置によると、ユーザーは予約入力手段により希望する使用時間帯を入力することができ、入力された使用時間帯予約は、たとえ複数のユーザーが同じ時間帯に使用予約を入れてもその予約が受け付けられる。そして、同じ時間帯の使用予約を受け入れることに伴って生じる注意事項（今ジョブを投入しなければ予約時間帯内にジョブを完了させることができない、といった注意事項）を予めユーザーにジョブ投入限界時間として通報することができる。
【００１２】
従って本発明に係る画像形成装置によると、画像形成装置の占有設定と複数ユーザーの操作性の両立が可能となる。
【００１３】
前記予約入力手段によるユーザーによる使用予約時の入力項目には例えば使用予約に係るジョブの実行時間算出のための情報が含まれており、該予約入力手段は該ジョブ実行時間算出のための情報の入力手段を含んでいる場合を例示できる。
【００１４】
前記ジョブ実行時間算出のための情報の入力手段による入力項目にはジョブ実行モード情報が含まれている場合を例示できる。
ここで「ジョブ実行モード情報」としては、原稿枚数、記録シートサイズ、記録シート材種、プリント（印字）色、出力枚数、仕上がりモード情報等のうち少なくとも一つを挙げることができる。
【００１５】
また、前記ジョブ実行時間算出のための情報の入力手段による入力項目には予め画像形成装置内に登録されている情報が含まれている場合を例示できる。
このような登録情報として、例えば、
(1)「記録紙の片面へのコピー」、「コピー枚数（設定枚数）５枚」及び「Ａ３Ｔ用紙にコピー」（Ｔは縦長通紙）の組み合わせによる複写モードとして登録されているものや、 (2)「記録紙の両面へのコピー」、「コピー枚数（設定枚数）１０枚」、「Ａ３Ｔ用紙にコピー」及び「ステープル綴じ仕上げ」の組み合わせによる複写モードとして登録されているものを挙げることができる。
【００１６】
また、前記ジョブ実行時間算出のための情報の入力手段による入力項目にはユーザー身の見積もりジョブ実行時間が含まれている場合を例示できる。
【００１７】
予約時間帯より前にジョブが投入されている場合、各ユーザーの予約時間帯内にジョブが完了できるように前記予約優先順位を変更できる手段を含んでいてもよい。
【００１８】
本発明に係る画像形成装置としては、例えば、少なくとも、画像データに基づいて記録シート上に画像をプリントできるプリンタ部と、原稿画像を読み取るスキャナ部と、ユーザーによる操作のためのめの操作パネルと、前記プリンタ部、スキャナ部及び操作パネルがそれぞれ接続された、画像形成装置動作を制御するためのコントローラ部とを含み、前記操作パネルは画面表示を行うディスプレイ部を備えている画像形成装置を挙げることができる。
【００１９】
このような画像形成装置の場合、前記のユーザーが使用予約を入力するための予約入力手段を操作パネル、或いは操作パネル及びコントローラ部等で実現することができる。
また、前記予約受付手段は例えばコントローラ部等により実現することができる。
前記通報手段も操作パネル及びコントローラ部等で実現することができる。
【発明の効果】
【００２０】
以上説明したように、本発明によると、使用時間帯を予約登録できる画像形成装置であって、複数のユーザーが同じ時間帯に使用予約を入れてもその予約を受け付ける一方、同じ時間帯の使用予約を受け入れることに伴って生じる注意事項について予めユーザーに通報し、これらにより画像形成装置の占有設定と複数ユーザーの操作性の両立を可能とする画像形成装置を提供することができる。
【図面の簡単な説明】
【００２１】
【図１】本発明に係る画像形成装置の１例の構成の概略を示す図である。
【図２】図１の画像形成装置Ａの制御回路の概略を示すブロック図である。
【図３】操作パネルの説明図である。
【図４】図（Ａ）はユーザーが使用予約モードを選択したときにディスプレイ部に表示されるカレンダーの例を示す図、図（Ｂ）は表示されたカレンダーで使用予約する日を選択すると操作パネルのディスプレイ部に表示される予約時間選択画面を示す図、図（Ｃ）は図（Ｂ）の画面において「ｊｏｂ時間入力」キーをタッチ操作するとディスプレイ部に表示されるｊｏｂ時間入力画面を示す図であり、図（Ｄ）は図（Ｃ）の画面で「モード入力」キーをタッチ操作すると表示される画面、図（Ｅ）は図（Ｃ）の画面で「登録番号入力」キーをタッチ操作すると表示される画面、図（Ｆ）は図（Ｃ）の画面で「時間入力」キーをタッチ操作すると表示される画面である。
【図５】入力された使用予約の管理状況の例を示す図である。
【図６】操作パネルのディスプレイ部に表示させることができる予約状況確認画面の例を示す図である。
【図７】操作パネルのディスプレイ部に表示されるｊｏｂ投入限界時間通報例を示す図である。
【図８】操作パネルのディスプレイ部に表示されるｊｏｂ投入限界時間通報の他の例を示す図である。
【図９】操作パネルのディスプレイ部にｊｏｂ投入限界時間通報を表示させるときのコントローラ部の動作を示すフローチャートである。
【図１０】図９に示すフローチャート中の通報タイミング検出ルーチンの詳細を示すフローチャートである。
【図１１】予約時間帯にｊｏｂが投入された場合のユーザーのｊｏｂ実行の例（Case 1) を示す図である。
【図１２】予約時間帯にｊｏｂが投入された場合のユーザーのｊｏｂ実行の他の例（Case 2) を示す図である。
【図１３】予約時間帯より早い時間帯にｊｏｂが投入された場合のユーザーのｊｏｂ実行の例（Case 3) を示す図である。
【図１４】予約時間帯より早い時間帯にｊｏｂが投入された場合のユーザーのｊｏｂ実行の他の例（Case 4) を示す図である。
【図１５】予約時間帯より早い時間帯にｊｏｂが投入された場合のユーザーのｊｏｂ実行のさらに他の例（Case 5) を示す図である。
【発明を実施するための形態】
【００２２】
以下、本発明の実施形態について図面を参照して説明する。
図１は本発明に係る画像形成装置の１例Ａの正面図である。
図２は図１の画像形成装置Ａの制御回路の概略を示すブロック図である。
図３はこのあと説明する操作パネルＰＡの説明図である。
【００２３】
図１に示す画像形成装置は、スキャナ部Ｓ及びプリンタ部ＰＲを備えており、スキャナ部Ｓで読み取った原稿画像のデータに基づいてプリンタ部ＰＲにプリント出力させる複写機として使用できるものであるが、ファクシミリの送受信機能、コンピュータ等から供給される画像情報に応じてプリントするプリンタ機能、スキャナ部で読み取った画像のデータをＥ−ｍａｉｌ送信する機能、スキャナ部で読み取った画像のデータを内蔵メモリの所定領域（メモリボックス部）に読み出し可能に格納する機能、スキャナ部で読み取った画像のデータを外部メモリに読み出し可能に格納する機能等も併せ持つ。
【００２４】
図１の画像形成装置Ａは、画像データに基づいて記録紙等の記録シート９に画像をプリントできるプリンタ部ＰＲを含んでいる。プリンタ部ＰＲにはその下に記録シート収容カセットＣ１〜Ｃ４を有する部分ＣＳが付設されている。スキャナ部（画像読み取り装置）Ｓはプリンタ部ＰＲの上方に位置している。スキャナ部Ｓはここでは原稿自動搬送装置ＡＤＦを含んでいる。スキャナ部Ｓには操作パネルＰＡが搭載されている。
【００２５】
図１には示していないが図２に示すように、画像形成装置Ａは画像形成装置各部の動作を制御するコントローラ部ＣＮを有している。
【００２６】
プリンタ部ＰＲ、スキャナ部Ｓ及び操作パネルＰＡはコントローラ部ＣＮに接続されている。コントローラ部ＣＮには、ユーザーの認証を行う認証装置ＩＤ及び通信インターフエース部Ｉ／Ｆも接続されている。
【００２７】
プリンタ部ＰＲは、本例では電子写真方式により記録紙等の記録媒体９上にトナー画像を形成するものである。本例のプリンタ部ＰＲは、イエロー画像形成部Ｙ、マゼンタ画像形成部Ｍ、シアン画像形成部Ｃ及びブラック画像形成部Ｋを中間転写ベルト４に沿って配列したタンデム型のカラープリンタ部である。
【００２８】
画像形成部Ｙ、Ｍ、Ｃ、Ｋのそれぞれは、本例では、回転駆動可能の感光体１１の周囲に帯電器（図示省略）、画像露光装置（図示省略）、現像器（図示省略）、１次転写ローラ２及びクリーニング装置（図示省略）を配置したものであり、それ自体既に知られているものである。
【００２９】
各画像形成部においては、図１中時計方向回りに回転駆動される感光体１１の表面を帯電器で所定電位に帯電させ、その帯電域に、入力されてくる画像データに基づいて画像露光装置から画像露光を施して静電潜像を形成し、この潜像を担当色トナーを収容した現像器の現像ローラで現像バイアスのもとに現像して可視トナー像とし、このトナー像を１次転写電圧が印加さた１次転写ローラ２でベルト４上に１次転写することができる。感光体１１上の転写残トナー等はクリーニング装置により除去清掃される。
【００３０】
このトナー像の１次転写にあたって、転写ベルト４は図１中、反時計方向（矢印α方向）に回転駆動される。ベルト４上に重ねて１次転写された多重トナー像はいずれかのカセットから供給される記録シート（記録紙等）９に２次転写電圧が印加された２次転写ローラ５で２次転写できる。
【００３１】
記録シート９に２次転写されたトナー像は、定着装置７で加熱加圧下に記録媒シート９上に定着され、この記録シート９は排出ローラ８にて排出トレイＴに排出される。ベルト４上の転写残トナー等はクリーニング装置４０にて除去清掃される。
【００３２】
以上、Ｙ〜Ｋの四つの画像形成部を用いて記録シート９にフルカラートナー像をプリンとする例を説明したが、プリンタ部ＰＲは、いずれかの画像形成部を用いてモノクロ画像を形成することもできるし、いずれか二つ又は三つの画像形成部を用いてカラー画像形成することもできる。
【００３３】
次にスキャナ部Ｓについて説明すると、スキャナ部Ｓにおける原稿搬送装置ＡＤＦは開閉可能で、スキャナ部Ｓ本体の原稿載置台であるガラス板ｇ１上に配置される原稿を覆うカバーを兼ねている。
【００３４】
スキャナ部Ｓは原稿台ガラスｇ１上に静止配置される原稿の画像を光学的に読み取ることができるほか、原稿自動搬送装置ＡＤＦにてその原稿載置トレイａ１から搬送され、原稿排出トレイａ２へ排出され、その途中でスキャナ部Ｓの原稿流し撮り用ガラス板ｇ２に沿って移動する原稿の画像を光学的に読み取ることもできる。
【００３５】
スキャナ部Ｓで読み取られた画像のデータは、
(1) プリンタ部ＰＲへ送られ、そこでの画像形成に供されるか、
(2) コントローラ部に内蔵されているメモリの所定記録領域（メモリボックス部）Ｍに格納されるか、
(3) 通信インターフエース部Ｉ／Ｆを介してコントローラ部に外付けされた外部記録媒体（図示省略）の所定記録領域に格納されるか、
(4) フアクシミリ送信或いはＥ−ｍａｉｌ送信に供されるなどする。
【００３６】
いずれにしてもプリンタ部ＰＲやスキャナ部Ｓは、操作パネルＰＡからのキー入力等及びコントローラ部ＣＮの指示に基づいて、或いは操作パネルＰＡからの入力に基づかない（例えば外部コンピュータからの画像データ入力に起因する）コントローラ部ＣＮの指示に基づいて動作する。操作パネルＰＡのディスプレイ部Ｄの表示もコントローラ部ＣＮの制御下に行われる。
【００３７】
なお、通信インターフエース部Ｉ／Ｆを介して外部コンピュータ等からコントローラ部ＣＮに入力される画像データはコントローラ部ＣＮの指示のもとに例えばプリンタ部ＰＲによるプリント出力が可能であり、外部から入力されるＦＡＸデータも同様にプリンタ部ＰＲによるプリント出力が可能である。
【００３８】
認証装置ＩＤは、本例ではユーザー専用のＩＣカードを用いて認証を行い、ログインを許可するものであり、認証をログイン条件として設定してあるときは、この認証装置ＩＤでログインすればよい。認証装置は生体認証方式等の他の認証方式により認証するものであってもよい。
【００３９】
通信インターフエース部Ｉ／Ｆは外部コンピータと接続するためのネットワーク接続部、ＵＳＢ接続部、ＦＡＸ用電話回線接続部等を含んでいる。
【００４０】
次に操作パネルＰＡについて説明する。
操作パネルＰＡには、図３に示すように、
(1) プリンタ部ＰＲによるプリント動作の開始等の各種動作開始を指示するスタートキーＳＫ、
(2) プリント枚数の設定等のためのテンキー１０Ｋ及び
(3) 画面表示を行うディスプレイ部Ｄ等が設けられている。
【００４１】
ディスプレイ部Ｄは、本例では液晶表示によりユーザによるキー操作を反映表示したり、ユーザへの指示メニューを表示したり、プリンタ部ＰＲ等からの情報を表示したりする等に用いられる。
【００４２】
また、ディスプレイ部Ｄは画面に表示されるキー等を画面上でタッチすることで指示、選択等の操作を行えるタッチパネル方式のディスプレイ部である。
なお、ディスプレイ部は液晶表示方式のものに限定されることはなくプラズマ表示方式等の他のタイプの視認可能のディスプレイ部でもよい。
【００４３】
操作パネルＰＡは、前記のスタートキーＳＫ、テンキー１０Ｋ、ディスプレイ部Ｄのほか、この画像形成装置Ａが実行できるモードに対応して次の四つのキーを備えている。
(a) スキャナ部Ｓで読み取った原稿画像のデータを内蔵メモリボックス部Ｍ或いは通信インターフエース部Ｉ／Ｆを介して外部メモリに格納することができるモードを選択するボックスキーＫ１、
(b) スキャナ部Ｓで読み取った原稿画像のデータを通信インターフエース部Ｉ／Ｆを介して外部へファクシミリ送信又はＥ−ｍａｉｌ送信することができるモードを選択するファクス／スキャンキーＫ２、
(c) キスキャナ部Ｓで読み取った原稿画像のデータに基づいてプリンタ部ＰＲにプリント出力させることができるコピーモードを選択するためのコピーキーＫ３及び
(d) 使用時間帯を予約する使用予約を選択するための予約キーＫ４である。
予約に関連して、後述するように、使用予約時の各種入力を決定するための「決定」  キーも設けてある。
【００４４】
ここで、(a) 項の「メモリボックス部」とは、スキャナ部Ｓで読み取った原稿画像のデータを格納（記憶）させておく、コントローラ部ＣＮにおけるメモリ中の領域Ｍのことである。
【００４５】
これらキーによりモードが選択されると、選択されたモードに対応する画面がディスプレイ部Ｄに表示され、そのタッチパネル方式の画面を用いてさらに必要な入力を行える。    
【００４６】
例えばコピーキーＫ３によりコピーモードを選択すると、ディスプレイ部Ｄにはプリント色（白黒プリント、オートカラープリント、フルカラープリント、２色プリントなど）を選択するためのキー、記録シートのサイズや向きを選択するためのキー、複写倍率を設定するためのキー、原稿２頁分の画像を１枚の記録シートに２ｉｎ１出力するモード等の集約モードを選択指定するためのキー等のキー群が表示される。
【００４７】
これら画面表示されたキーを用いて種々のコピーモードを個々的に選択指定できる。そして、スタートキーＳＫ操作により、スキャナ部Ｓに予めセットしておいた原稿画像を読み取らせ、その画像を選択指定したコピーモードでプリンタ部ＰＲにおいて記録シートにプリント出力させることができる。
【００４８】
画像形成装置Ａはユーザーが使用時間帯を予約登録できる画像形成装置である。
ユーザーは使用時間帯予約を行うときは、操作パネルＰＡの予約キーＫ４を操作すればよい。使用予約モードにおける操作パネルＰＡのディスプレイの表示はユーザーによる操作パネルＰＡの操作（或いは外部コンピュータから通信インターフエース部Ｉ／Ｆを介しての操作）やコントローラ部ＣＮの指示に基づいてなされる。使用予約は次のように行える。
【００４９】
操作パネルＰＡの予約キーＫ４を操作すると、コントローラ部ＣＮは図４（Ａ）に示すように操作パネルＰＡに使用予約を希望する日を選択するためのカレンダーを表示させる。
【００５０】
ユーザーがこのカレンダー画面上のタッチパネルを用いて予約希望する日をタッチ選択すると、コントローラ部ＣＮは図４（Ｂ）に示すジョブ予約時間選択画面を表示させる。    
【００５１】
図４（Ｂ）及び後述する図４（Ｃ）〜（Ｆ）では操作パネルＰＡ全体を概略的に示している。キー等の図示の仕方や位置は操作パネルＰＡを示す図３とは図示の都合上若干違えてある。
【００５２】
ユーザーはジョブ予約時間選択画面の▲▼キーでｊｏｂ予約開始時間欄、ｊｏｂ予約終了時間欄を指定し、ディスプレイ部Ｄ横のテンキー１０Ｋでジョブ（ｊｏｂ）予約開始時間、ジョブ（ｊｏｂ）予約終了時間をそれぞれ入力できる。
【００５３】
ユーザーがｊｏｂ予約開始、終了時間を入力し、「決定」キーで入力を確定し、「ｊｏｂ時間入力」キーをタッチ操作すると、コントローラ部ＣＮは図４（Ｃ）に示すように、ｊｏｂ時間入力の形態として「モード入力」、「登録番号入力」及び「時間入力」の３種類を表示するので、ユーザーはこれらからいずれかを選択することができる。
【００５４】
ユーザーが図４（Ｃ）の画面で「モード入力」をタッチ選択するとコントローラ部ＣＮは図４（Ｄ）の画面を表示させる。ここで、▲▼キーで各項目を選択し、原稿枚数についてはテンキー１０Ｋで入力し、用紙サイズ、用紙メデイア（用紙材質）、印字色、設定枚数（出力枚数）、仕上げ状態（ステープル綴じ仕上げか、パンチ（穴あけ）仕上げか等）については横向き三角キー操作で選択入力し、「決定」キーで入力を確定できる。
【００５５】
図４（Ｃ）の画面においてユーザーが「登録番号入力」をタッチ選択するとコントローラ部ＣＮは図４（Ｅ）の画面を表示させるので、横向き三角キー操作で予めコントローラ部ＣＮのメモリに登録されているモードを選択入力し、「決定」キーで入力を確定できる。
このような登録モードとして、例えば、以下の組み合わせ( ○印や数値がついているものの組み合わせ) による、登録された複写モードを挙げることができる。以下の表記において「設定枚数」は複写枚数を、「ステープル」は図示省略のフィニッシャーを付設することを前提としてステープル綴じ仕上げすることを、「Ａ４Ｙ紙」はＡ４サイズ用紙を短辺を通紙方向にして用いることを、「Ａ３Ｔ紙」はＡ３サイズ用紙を長辺を通紙方向にして用いることをそれぞれ意味している。
片面コピー  両面コピー  設定枚数  ステープル  Ａ４Ｙ紙  Ａ３Ｔ紙
登録モード１    ○                      １                    ○
登録モード２              ○          １０        ○                    ○
登録モード３    ○                      ５                              ○
登録モード４              ○            ５                    ○
登録モード５    ○                    １０        ○          ○
【００５６】
図４（Ｃ）の画面においてユーザーが「時間入力」をタッチ選択するとコントローラ部ＣＮは図４（Ｆ）の画面を表示させるので、横向き三角キー操作で、ユーザーが見積もったジョブ時間を選択入力し、「決定」キーで入力を確定できる。
【００５７】
図４（Ｃ）の画面で「モード入力」を選んだ場合、コントローラ部ＣＮは上述のとおり図４（Ｄ）に示すモード入力画面を表示し、入力されたモードからジョブ（ｊｏｂ）実行時間を計算し、それを図４（Ｂ）の「ｊｏｂ時間」欄に表示する。
【００５８】
図４（Ｃ）の画面で「登録番号入力」を選んだ場合、コントローラ部ＣＮは上述のとおり図４（Ｅ）に示す登録モード入力画面を表示し、入力されたモードからジョブ（ｊｏｂ）実行時間を計算し、それを図４（Ｂ）の「ｊｏｂ時間」欄に表示する。
プログラム登録機能を使ったジョブ（ｊｏｂ）を頻繁に使用する場合に便利である。
【００５９】
図４（Ｃ）の画面で「時間入力」を選んだ場合、コントローラ部ＣＮは上述のとおり図４（Ｆ）に示すｊｏｂ時間入力画面を表示し、入力された時間を図４（Ｂ）の「ｊｏｂ時間」欄に表示する。
【００６０】
図５は、図４（Ｂ）〜（Ｆ）により入力された予約の管理状況の一例を示している。    この例では、ユーザー（User) Ａ、Ｂ、Ｃ及びＤの４人が予約を１：００〜４：００の時間帯で予約している。それぞれの予約はResA1 、ResB1 、ResC1 ・ResD1 で表されている。
【００６１】
予約入力をした時間が早い者からジョブ実行の優先順位がつけられたおり、図５の場合最も優先度が高い者がユーザーがUserA （優先度１）であり、UserB （優先度２）→UserC （優先度３）→UserD （優先度４）の順に優先度が低くなる。
【００６２】
さらにここでは、例としてそれぞれのジョブ（ｊｏｂ）の時間が  UserA （６０分）、UserB （５０分）、UserC （４０分）、UserD （３０分）と入力されている。これらはいずれも図４（Ｂ）〜（Ｆ）のディスプレイ部Ｄの表示を利用して入力されたものである。    
【００６３】
また、図５の予約管理状況の例では、UserC は１３：３０〜１８：００の時間帯も予約している（ResC2 40分) 。UserC のこの予約は、この時間帯に対して最も早く予約を入れたため優先度が最も高い（優先度１）。次にUserD も１２：００〜１５：３０に予約を入れている（ResD2 50分  優先度２）。この時間帯はUserC と重なっているため優先度はUserC →UserD の順となる。
【００６４】
UserB が１５：００〜１９：３０にも予約を入れている（ResB2 30分) 。UserB のこの予約は優先度３である。この予約は１５：００〜１５：３０の時間帯ではUserC 、UserD と重なっており、この時間帯での優先度はUserC →UserD →UserB のとなり、１５：３０〜１８：００の時間帯ではUserC →UserB の順となる。
【００６５】
最後にユーザーＡ（UserA ）が１７：３０〜２１：００で予約を入れたため優先度は最下位（優先度４）となる。
１７：３０〜１８：００まではUserC 、UserB と重なっており、この時間帯の優先度はUserC →UserB →UserA となり、１８：００〜１９：３０まではUserB →UserA の順となる。
【００６６】
この例では、ｊｏｂ時間がUserA （６０分）、UserB （３０分）、UserC （４０分）、UserD （５０分）として入力されている。
【００６７】
図５に示す情報はコントローラ部ＣＮのメモリのワークメモリである予約関連メモリ部に時間帯、優先度、ユーザー、ｊｏｂ時間とともに保持されており、画像形成装置Ａの制御を行う場合には常にこれを参照可能であるようにされる。
【００６８】
図６は操作パネルＰＡのディスプレイ部Ｄに表示させることができる予約状況確認画面の例を示している。この画面上で▲▼キー操作により予約状況を確認できる。
【００６９】
コントローラ部ＣＮは、図５に示す予約状況の例では、通報タイミングを検出してディスプレイ部Ｄに図７の（Ａ）〜（Ｄ）及び図８の（Ａ）〜（Ｄ）に示すｊｏｂ投入限界時間の通報（本例では「今ジョブを投入しなければ、優先予約のために予約時間帯にジョブを終了することができない」旨の通報）を表示する。
このような通報はユーザーのコンピュータのディスプレイに表示させてもよい。例えば外部コンピュータから画像形成装置Ａへプリント指示がなされているようなときには、その外部コンピュータのディスプレイに表示させてもよい。
【００７０】
図９は操作パネルのディスプレイ部Ｄにｊｏｂ投入限界時間通報を表示させるときのコントローラ部ＣＮの動作を示すフローチャートである。
図１０は図９に示すフローチャート中の通報タイミング検出ルーチンの詳細を示すフローチャートである。
【００７１】
図９に示すように、通報表示の判断は本例では１分毎に行うようにしており、まず、プログラムのスタートから１分経過したか否かを判断する（ステップS601）。１分経過していると、その時刻で使用予約があるか否かをを判断する（S602) 。この判断はコントローラ部ＣＮのメモリに記録された図５の予約管理状況を参照して行う。
【００７２】
予約があった場合は、ステップS603〜S604において通報が必要か否かを判断する。
通報が必要であれば、ディスプレイ部Ｄに図７や図８で例示されているような通報を表示する。
【００７３】
通報が必要か否かを判断では、まず、通報すべきタイミングを図１０のフローチャートに示すようにして検出する。
図１０に示すように、まず、優先度が最低の予約の読み出しを行う（ステップS701) 。  図５の予約管理状況の例では２：００時点での予約ResD1 が、または１５：２０の時点での予約ResB2 に相当する。
【００７４】
この読み出した予約情報を予めコントローラ部ＣＮの二つのワークメモリ( メモリ１及びメモリ２）に記緑し（ステップS702、S703) 、さらにｊｏｂ時間計算メモリをリセットしておく（ステップS704) 。
優先度計算メモリ２のジョブ（ｊｏｂ）と、さらに優先度計算メモリ２のｊｏｂと予約が重なっている優先度が高いジョブ（ｊｏｂ）のｊｏｂ時間の合計を計算する。
この計算は、ステップS704→S705→S709→S708のループで行う。
【００７５】
そして優先度が高い予約がなくなったところで( ステップS705で「No」）、優先度の最も低い予約時間帯の終了時問からJob 時間計算メモリの合計値分さかのぼった時間と現在時間が一致していれば（ステップS706でYes ）、通報表示タイミング状態を設定し（S707）、図９のルーチンにリターンし、通報タイミング（通報時刻）になると（ステップS604) 、通報表示を行って( ステップS605) 通報タイミング判断処理を終了する。
【００７６】
優先度が最も低い予約の通報が必要でない場合（図１０のステップS706で「No」）、一つ優先度が高い予約に関して通報が必要か否かの判断を行う。
この計算はステップS710→S713→S712→S711のループと、さらにステップS704→S705→S709→S708のループで行う。
こうして全ての予約に関して通報の判断を行う。
【００７７】
次に予約時間帯にｊｏｂが投入された場合について説明する。
図１１は予約時間帯にｊｏｂが投入された場合のｊｏｂ実行の例（Case 1) を示す図である。
【００７８】
例えば図１１の上段に示すようにユーザーＢのｊｏｂが実行される可能性のある期間（予約ResA1 のｊｏｂ時間６０分＋予約ResB1 のｊｏｂ時間５０分＝１時間５０分）にユーザーＢの予約より優先度の低いユーザーＣ（UserC)  やユーザーＤ(UserD) のｊｏｂが投入されても、コントローラ部ＣＮはUserC やUserD のｊｏｂより優先度の高いｊｏｂが終了してからでないと、ジョブ実行を許可しない。前記期間の経過後に優先順位に応じてユーザーＣ、Ｄの順でジョブを実行する(Case 1)。
【００７９】
図１１の上段に示す予約管理状況において、ユーザーＢのジョブが投入された後、より優先度の高いユーザーＡのジョブが投入された場合には、図１２に示すように、ユーザーＢのジョブを中断してユーザーＡのジョブを実行し、その終了後にユーザーＢのジョブを再開する（Case 2) 。
【００８０】
次に予約時間帯より早い時間にジョブを投げておく、または時間帯予約と併せてジョブを投げておき、予約時間帯に入ったときにジョブを実行するようにしてもよく、図１３、図１４はそのような場合の例を示している。
【００８１】
図１３は、予約時間帯より早い時間にジョブが投げられ、予約時間帯に入ると、優先度の高い順にジョブを実行する例を示している（Case 3) 。
図１４は、予約時間帯より早い時間にジョブが投げられ、予約時間帯に入ると、予約時間帯が早いものを優先させつつ、本来の予約順序による優先度順にジョブを実行する例を示している（Case 4) 。
【００８２】
予約時間帯より早い時間にジョブを投入した場合、そのジョブ情報を基に実際のｊｏｂ時間を算出できる。そこで算出の結果、優先度の高いユーザーからジョブを実行した場合、優先度の低いユーザーに関してその予約時間帯内にジョブが完了しないときには、優先度を変更して予約時間帯内にジョブを完了できるようにしてもよい（Case 5) 。
図１５はそのような場合の例を図解している。
【００８３】
以上説明した画像形成装置Ａにおけるプリンタ部ＰＲは、電子写真方式のタンデム型のカラープリンタ部であったが、プリンタ部は、定位置の感光体上の静電潜像を現像する現像位置へそれぞれが担当色トナーを保持した複数の現像器が順次位置することができる４サイクル型等のサイクル型カラープリンタ部等であってもよい。
さらにプリンタ部は静電記録方式等の他の方式のプリンタ部であってもよい。
【産業上の利用可能性】
【００８４】
本発明は、使用時間帯を予約登録できる画像形成装置であって、複数のユーザーが同じ時間帯に使用予約を入れてもその予約を受け付ける一方、同じ時間帯の使用予約を受け入れることに伴って生じる注意事項について予めユーザーに通報し、これらにより画像形成装置の占有設定と複数ユーザーの操作性の両立を可能とする画像形成装置を提供することに利用できる。
【符号の説明】
【００８５】
Ａ  画像形成装置
Ｓ  スキャナ部
ＡＤＦ  原稿自動搬送装置
ＰＡ  操作パネル
Ｋ  スタートキー
１０Ｋ  テンキー
Ｋ１  ボックスキー
Ｋ２  ファクス／スキャンキー
Ｋ３  コピーキー
Ｋ４  予約キー
Ｄ  液晶ディスプレイ部
ＰＲ  プリンタ部
Ｙ  イエロー画像形成部
Ｍ  マゼンタ画像形成部
Ｃ  シアン画像形成部
Ｋ  ブラック画像形成部
１１  感光体
２  １次転写ローラ
４  中間転写ベルト
４０  クリーニング装置
５  ２次転写ローラ
７  定着装置
９  記録媒体（記録紙等）
Ｔ  排出トレイ
ＣＮ  コントローラ部
Ｍ  メモリボックス部
ＩＤ  認証装置
Ｉ／Ｆ  通信インターフエース部
【図１】
2011087201.tif 000003
【図２】
2011087201.tif 000004
【図３】
2011087201.tif 000005
【図４】
2011087201.tif 000006
【図５】
2011087201.tif 000007
【図６】
2011087201.tif 000008
【図７】
2011087201.tif 000009
【図８】
2011087201.tif 000010
【図９】
2011087201.tif 000011
【図１０】
2011087201.tif 000012
【図１１】
2011087201.tif 000013
【図１２】
2011087201.tif 000014
【図１３】
2011087201.tif 000015
【図１４】
2011087201.tif 000016
【図１５】
2011087201.tif 000017